(57)【要約】      （修正有）【課題】人が当たった場合でも大けがをすることが無い商品陳列用吊り下げ具を提供すること。【解決手段】商品陳列具における係止バーに係止される係合部３を有する本体部２と、本体部２に正面側に向けて突設したフック部３と、フック部３の上方において本体部２に正面側に向けて突設した、先端側に表示具１０を備えた支持アーム９を具備し、全体を着色した樹脂により形成するとともに、表示具１０の位置とフック部３の先端位置をほぼ同等の位置で揃え、フック部３は、フック部本体とフック部本体の表面にフック部本体の長手方向に沿って形成した１又は複数条のリブ８を具備し、表示具１０は、裏面に突起部１１を備えたことを特徴として、人が当たった場合でもけがをすること無く、商品の移動をスムーズに行うことができ、更に定価表等の脱落を防止することを可能にした。【選択図】図１
0003191113.tif 000002
【実用新案登録請求の範囲】
【請求項１】
係止バーを有する商品陳列具における前記係止バーに係止される商品陳列用吊り下げ具であって、
前記係止バーに係止される係合部（３）を有する本体部（２）と、
該本体部（２）に正面側に向けて突設した、商品を吊り下げるフック部（５）と、
該フック部（５）の上方において前記本体部（２）に正面側に向けて突設した、先端側に表示具（１０）を備えた支持アーム（９）と、を具備し、
前記本体部（２）、フック部（５）、支持アーム（９）及び表示具（１０）の全体を樹脂により形成するとともに、前記表示具（１０）の位置と前記フック部（３）の先端位置をほぼ同等の位置で揃えた、ことを特徴とする商品陳列用吊り下げ具。
【請求項２】
前記フック部（５）は、フック部本体（７）と、該フック部本体（７）の表面にフック部本体（７）の長手方向に沿って形成した１又は複数条のリブ（８）と、を具備したことを特徴とする請求項１に記載の商品陳列用吊り下げ具。
【請求項３】
前記表示具（１０）は、裏面に突起部（１１）を備えたことを特徴とする請求項１又は請求項２に記載の商品陳列用吊り下げ具。
【請求項４】
前記本体部（２）、フック部（５）、支持アーム（９）及び表示具（１０）の全体を着色したことを特徴とする請求項１乃至請求項３のいずれかに記載の商品陳列用吊り下げ具。
【考案の詳細な説明】
【技術分野】
【０００１】
本考案は、スーパーマーケットや百貨店、コンビニエンスストア等の売り場において、商品を吊り下げた状態で陳列するための商品陳列用吊り下げ具に係り、より詳しくは、商品の購入者等がけがをしてしまうことを未然に防止可能にするとともに商品の取り出しや移動等を容易にした商品陳列用吊り下げ具に関する。
【背景技術】
【０００２】
従来から、スーパーマーケットや百貨店、コンビニエンスストア等の売り場において、係止バーを備えた商品陳列具に係止される商品陳列用の吊り下げ具が提供されている。
【０００３】
ここで、図７は従来の商品陳列用吊り下げ具を説明するための図であり、図において３１は、係止バーを備えた商品陳列具の一部を示した図であり、この商品陳列具３１は、ネット形とした係止バー３２を備えており、この係止バー３２に商品陳列用の吊り下げ具を係止することとしている。
【０００４】
即ち、図において３３が従来の商品陳列用吊り下げ具であり、この商品陳列用吊り下げ具３３は、前記係止バー３２に係止されるフック状の係合部３４を備えた本体部３５を有している。
【０００５】
そして、前記本体部３５には、正面側に向けて、棒状のフック部３６が突設されており、このフック部３６に、商品を収納した扁平な包装袋やケースを吊り下げることとしている。
【０００６】
また、前記フック部３６の上方において、前記本体部３５には、正面側に向けて棒状の支持アーム３７が突設されており、この支持アーム３７の先端部には、定価表等が装着される板状の表示具３８が取り付けられている。
【０００７】
そして、この構成において、前記係止バー３２に複数個の商品陳列用吊り下げ具３３を係止し、商品陳列用吊り下げ具のフック部３６に、前述したように、商品を収納した扁平な包装袋やケースを複数個吊り下げることで、商品陳列具に商品を陳列することを可能としている。
【先行技術文献】
【特許文献】
【０００８】
【特許文献１】特開２０１１−１３６０８４号公報
【特許文献２】特開２０１０−２１３８８１号公報
【特許文献３】特開２０１０−４２１５４号公報
【特許文献４】特開２００９−２８５０４７号公報
【特許文献５】特開２００８−１７８４４１号公報
【特許文献６】特開平９−１３５７５４号公報
【特許文献７】特開平８−１３１３０２号公報
【特許文献８】実開平７−２８４６５号公報
【考案の概要】
【考案が解決しようとする課題】
【０００９】
ところで、前述したような従来の商品陳列用吊り下げ具は一般的に、全体を金属で形成していたために、重量があるとともに固いために、人が当たった場合にはけがをしてしまう恐れが指摘されていた
【００１０】
また、従来の商品陳列用吊り下げ具は、前述したように、定価表等を装着するための板状の表示具３８を備えていたが、この表示具３８は前記フック部３６の先端位置よりも後方に位置しており、そのために、フック部３６の先端が突出していたために、商品をフック部３６から取り外そうとする購入者等の手や顔等がフック部３６の先端にあたってしまい、あるいは目にささってしまい、大けがをしてしまう恐れもがあるという問題点も指摘されていた。
【００１１】
そこで、本考案は、フック部の先端に人に当たってしまうことが無いとともに、人にあたった場合でも大けがをすることが無い商品陳列用吊り下げ具を提供することを課題としている。
【課題を解決するための手段】
【００１２】
本考案の商品陳列用吊り下げ具は、
係止バーを有する商品陳列具における前記係止バーに係止される商品陳列用吊り下げ具であって、
前記係止バーに係止される係合部を有する本体部と、
該本体部に正面側に向けて突設した、商品を吊り下げるフック部と、
該フック部の上方において前記本体部に正面側に向けて突設した、先端側に表示具を備えた支持アームと、を具備し、
前記本体部、フック部、支持アーム及び表示具の全体を樹脂により形成するとともに、前記表示具の位置と前記フック部の先端位置をほぼ同等の位置で揃えた、ことを特徴としている。
【考案の効果】
【００１３】
本考案の商品陳列用吊り下げ具は、全体を樹脂により形成しているために、軽量であるとともに、人が当たっても大けがをすることが無く、事故を未然に防止することが可能である。
【００１４】
また、表示具の位置とフック部の先端位置をほぼ同等の位置で揃えているために、フック部の先端が突出することが無く、それにより、商品をフック部から取り外そうとする購入者等の手や顔等がフック部の先端にあたってしまい、あるいはフック部の先端が目等にささってしまい、大けがをしてしまうことを防止することもできる。
【図面の簡単な説明】
【００１５】
【図１】本考案の商品陳列用吊り下げ具の実施例の概略斜視図である。
【図２】本考案の商品陳列用吊り下げ具の実施例を側面から示した図である。
【図３】図２におけるＡ−Ａ線端面図である
【図４】本考案の商品陳列用吊り下げ具の実施例における表示具を説明するための図である
【図５】本考案の商品陳列用吊り下げ具の実施例における表示具を説明するための図である
【図６】本考案の商品陳列用吊り下げ具の実施例における表示具を説明するための図である
【図７】従来の商品陳列用吊り下げ具を説明するための図である。
【考案を実施するための形態】
【００１６】
本考案の商品陳列用吊り下げ具では、係止バーを有する商品陳列具における前記係止バーに係止される本体部を具備しており、この本体部は、前記係止バーに係止される係合部を有している。
【００１７】
また、本体部には、正面側に向けて、商品を吊り下げるための丸棒状のフック部が突設されており、このフック部の上方側において、本体部には更に、正面側に向けて棒状の支持アームが突設され、この支持アームの先端側には、定価表等を装着するための表示具が備えられている。
【００１８】
そして、本考案の商品陳列用吊り下げ具は、本体部、フック部、支持アーム及び表示具の全体を好みの色で着色した樹脂により形成するとともに、表示具の位置とフック部の先端位置をほぼ同等の位置で揃えており、これにより、フック部の先端が突出して事故等を誘発することを防止している。
【００１９】
ここで、フック部を、棒状のフック部本体と、このフック部本体の表面にフック部本体の長手方向に沿って形成した、１又は複数条のリブとで構成するとよく、これによって、フック部に吊るした商品のフック上での移動をスムーズに行うことが可能となる。
【００２０】
即ち、商品陳列用の吊り下げ具では、購入者によって最前列の商品がフック部から取り外された場合は、フック部に吊り下げている商品を前方に移動させて、フック部の先端部分に常に商品が吊り下げられている状態にするのが好ましい。また、購入者がフック部の任意の位置から吊り下げられている商品を取り出した場合には、取り出された商品の後方に吊り下げられている商品を順次前方に移動させて商品間に空隙が生じないようにすることが好ましい。しかし、従来の商品陳列用吊り下げ具では、フック部に吊り下げられている商品を移動させることが容易でないという問題点が指摘されていたため、本考案の商品陳列用吊り下げ具では、フック部本体の表面にフック部本体の長手方向に沿ってリブを形成することで、このような問題点を解決した。
【００２１】
この関係を説明すると、商品陳列用吊り下げ具に吊り下げる商品は、フック部が貫通する貫通孔やフック部に引っ掛けるための係止部を有しており、フック部で貫通孔を貫通させ、あるいは係止部をフック部に引っ掛けることで、商品陳列用吊り下げ具に吊るしているが、いずれの場合でも、フック部上を移動させる場合には、フック部との摩擦を生じするためにスムーズに移動することが困難である。そのために、このような問題点を解決するために従来は、フック部に吊り下げられた商品を前方に押し出すための押し付け体を備えた商品陳列具も提案されてはいるが、この方法を採用した場合には、商品陳列具の構成が複雑になってしまうという問題点が指摘されていた。
【００２２】
しかしながら、本考案の商品陳列用吊り下げ具では、フック部本体の表面にフック部本体の長手方向に沿ってリブを形成したために、このリブの存在により、商品とフック部本体との摩擦抵抗を抑えることができ、それにより、商品の移動をスムーズに行うことが可能である。
【００２３】
また、本考案の商品陳列用吊り下げ具においては、前記表示具の裏面に突起部を備えるとよく、これにより、表示具に取り付ける定価表等が脱落することを有効に防止することが可能である。
【００２４】
即ち、商品陳列用吊り下げ具において、表示具に定価表等を取り付ける場合には、表示具に引っ掛けることが可能な係止部を上端に有したカバーを用いて、このカバーに定価表等を収納した状態で、カバーを表示具に引っ掛けているが、このとき、従来の表示具では単に板状であるために、表示具に衝撃が加わった場合には、カバーが脱落してしまうことが往々にしてあった。しかし、本考案の商品陳列用吊り下げ具では、表示具の裏面に突起部を備えているため、カバーの係止部が突起部に引っかかり、カバーを確実に表示具に固定することができるので、表示具に衝撃が加わった場合でも、カバーが脱落してしまうことを防止することができる
【実施例１】
【００２５】
本考案の商品陳列用吊り下げ具の実施例について図面を参照して説明すると、図１は本実施例の商品陳列用吊り下げ具の概略の外観を示す斜視図であり、また、図２は本実施例の商品陳列用吊り下げ具の側面を示した図である。そして、図において１が本実施例の商品陳列用吊り下げ具であり、本実施例において商品陳列用吊り下げ具１は、任意の色で着色した樹脂、より具体的には６６ナイロンにより全体を形成しており、これにより、軽量化を達成するとともに、商品陳列用吊り下げ具の全体に弾力性を与え、折れにくくしている。但し、必ずしも６６ナイロンにより形成する必要は無く、弾力性、柔軟性のある樹脂により形成してあればいずれの樹脂を用いても良い。
【００２６】
また、本実施例の商品陳列用吊り下げ具１は、前述の図７に示した商品陳列用吊り下げ具と同様に、ネット形の係止バーを備えた商品陳列具に係止される商品陳列用吊り下げ具としており、ネット形の係止バーを有する商品陳列具に係止される本体部を有している。即ち、図において２が本体部であり、本実施例において前記本体部２は、下方に行くに従ってわずかに幅を狭くした平板状としており、上端部には、裏面側に向けて、商品陳列具の係止バーに係止される逆Ｕ字状とした係合部３が連設されている。
【００２７】
また、本実施例において前記本体部２は、幅方向に見た中央部分を正面側に僅かに円弧状突出させて連設部４を形成しており、この連設部４には、正面側に向けて、商品を吊り下げるためのフック部と、定価表等を取り付けるための表示具を支持している支持アームを連設している。
【００２８】
即ち、図において５がフック部であり、本実施例において前記フック部５は丸棒状とし、前記本体部２における連設部４の下方部分に、正面側に向けて連設され、先端部近傍は、わずかに上方に向けて傾斜させた屈曲部６としている。
【００２９】
ここで、図３は、前記フック部５を説明するための図であり、図２におけるＡ−Ａ線端面図である。そして、図において本実施例の前記フック部５は、丸棒としたフック部本体７と、このフック部本体７の表面に、フック部本体７の長手方向に沿って形成した３条のリブ８とを具備しており、これにより、フック部５に吊るした商品の移動を容易にしている。
【００３０】
前述したように、商品陳列用の吊り下げ具では、購入者によって最前列の商品がフック部から取り外された場合は、フック部に吊り下げている商品を前方に移動させて、フック部の先端部分に常に商品が吊り下げられている状態にするのが一般的である。また、購入者がフック部の任意の位置から吊り下げられている商品を取り出した場合には、取り出された商品の後方に吊り下げられている商品を順次前方に移動させて商品間に空隙が生じないようにすることが一般的である。
【００３１】
そして、この商品を移動するとき、従来の商品陳列用吊り下げ具では、フックが貫通する貫通孔やフック部に引っ掛けるための係止部とフック部とで摩擦を生じするために、スムーズに移動することが困難であった。また、このような問題点を解決するためにフック部に吊り下げられた商品を前方に押し出すための押し付け体を備えた商品陳列具では、商品陳列具の構成が複雑になってコストが上がってしまう問題点が指摘されていた。
【００３２】
そこで、本実施例におけるフック部５では、フック部本体７の表面にフック部本体７の長手方向に沿って３条のリブ８を形成し、これにより、リブ８の存在により、商品とフック部本体７との摩擦抵抗を抑え、商品の移動をスムーズに行うことを可能とした。
【００３３】
従って、本実施例の商品陳列用吊り下げ具１では、商品が購入者によって取り外された後には、容易に商品の移動を行うことが可能である。なお、本実施例において前記リブ８は、フック部本体７の中心から見て、上方、及び左右の斜め上方部分に形成しているが、本考案においてリブの数及び形成箇所は特に限定されず、商品の移動をスムーズに行うことが可能な箇所及び数であればいずれの箇所に形成しても良い。
【００３４】
次に、図１において９が支持アームである。即ち、本実施例においては、前記フック部５の上方において、前記本体部２における連設部４に、正面側に向けて支持アーム９を連設しており、この支持アーム９の先端には、定価表等を取り付けるための表示具１０を連設している。
【００３５】
そして、本実施例においては、前記表示具１０とフック部５の先端位置とは、ほぼ同等の位置で揃えている。そのために、本実施例の商品陳列用吊り下げ具では、従来の商品陳列用吊り下げ具と異なり、フック部の先端が突出することが無く、商品をフック部から取り外そうとする購入者等の手や顔等がフック部の先端にあたってしまい、あるいは購入者等の目等にフック部の先端が刺さってしまい大けがをしてしまうことを防止することができる。
【００３６】
次に、図４は前記表示具１０の側面を示した図であり、図において１１は突起部である。即ち、本実施例において前記表示具１０は、裏面において、幅方向全域に亘って、矩形上の突起部１１を形成し、これにより、定価表等が脱落することを防止している。
【００３７】
この関係を説明すると、図５において１２は定価表であり、一般的に商品陳列用吊り下げ具の表示具１０に定価表を装着する場合にはカバーを用い、このカバーに定価表を収納し、その状態でカバーを表示具に係止することとしている。
【００３８】
即ち、図において１３がカバーであり、一般的にこのカバー１３は、樹脂製としており、下部で折り返すことで定価表等を収納可能な収納空間１４を有するとともに、表示具に引っ掛けることが可能なフック状の係止部１５を上端に有しており、収納空間１４に定価表を収納した状態で、係止部１５を表示具１０の上端に引っ掛けて、これにより表示具１０に定価表を取り付けることとしている。
【００３９】
しかしながら、このとき、従来の商品陳列用吊り下げ具における表示具は単なる板状であるために、表示具に衝撃が加わった場合には、カバー１３が脱落してしまうおそれがあった。しかし、本実施例においては、前記表示具１０の裏面に、表示具１０の幅方向全域に亘って突起部１１を形成して、前記カバー１３の係止部１５を表示具１０に引っ掛けた際に、係止部１５の先端部分が突起部１１の下面に引っかかるようにしているため、カバー１３を確実に表示具１０に固定することができ、表示具１０に衝撃が加わった場合でも、カバー１３が脱落してしまうことを防止することができる。この状態を示した図が図６であり、図６においては、カバー１３の係止部１５の先端部分が突起部１１の下側に引っかかり、カバーを確実に表示具１０に固定している。なお、図４において１６はカバーの下端を支えるための載置部であるが、この載置部１６は必ずしも必要なものではない。
【００４０】
次に、このように構成される本実施例の商品陳列用吊り下げ具１の作用について説明すると、本実施例の商品陳列用吊り下げ具１を使用する場合は、前述した従来の商品陳列用吊り下げ具１と同様に、係止バー３２を有する商品陳列具３１における前記係止バー３２に係合部３を係止し、これにより本実施例の商品陳列用吊り下げ具１を商品陳列具に取り付ける。そしてこの状態で、前記フック部３６に、商品を収納した扁平な包装袋やケースに形成した貫通孔をフック部３６で貫通することで、あるいは、商品を収納した扁平な包装袋やケースに備えた係止部をフック部３６に引っ掛けることで商品を吊り下げ、これにより商品の陳列を行うとともに、定価表１２を収納したカバー１３を表示具１０に固定し、これにより、商品の陳列を行うことが可能となる。
【００４１】
そしてこのとき、本実施例の商品陳列用吊り下げ具１は、全体を樹脂により形成しているために、軽量にすることが可能であるとともに、人が当たっても大けがをすることが無く、事故を未然に防止することが可能であるとともに樹脂は６６ナイロンを用いているため、製品全体に弾力性を与え、折れにくい製品にすることが可能である。
【００４２】
また、本実施例の商品陳列用吊り下げ具１では、全体を任意の色で着色しているために、例えば商品陳列具と同じ色にすることで、商品陳列具に同化させ、商品陳列具に対して商品陳列用吊り下げ具がアンバランスになることを防止することもできる。
【００４３】
更に、本実施例の商品陳列用吊り下げ具１では、表示具１０の位置とフック部５の先端位置をほぼ同等の位置で揃えているため、フック部５の先端が突出することが無く、それにより、商品をフック部５から取り外そうとする購入者等の手や顔等がフック部の先端に当たってしまい、あるいはフック部の先端が目等に刺さってしまい購入者等が大けがをしてしまうことを防止することもできる。
【００４４】
また、本実施例の商品陳列用吊り下げ具１では、フック部５を、棒状のフック部本体７と、このフック部本体７の表面にフック部本体７の長手方向に沿って形成した１又は複数条のリブ８とで構成しているために、リブ８の存在により、商品をフック部５に沿って移動する際に、商品とフック部５との摩擦抵抗を抑え、商品の移動をスムーズに行うことが可能である。
【００４５】
更にまた、本実施例の商品陳列用吊り下げ具１では、前記表示具１０の裏面に突起部１１を備え、定価表を収納したカバーを表示具１０の上部に引っ掛けた際に  係止部１５の先端部分が突起部１１の下面に引っかかるようにしているため、カバー１３を確実に表示具１０に固定することができ、表示具１０に衝撃が加わった場合でも、カバー１３が脱落してしまうことを防止することができる。
【００４６】
このように、本実施例の商品陳列用吊り下げ具１を用いることにより、商品購入者等がけがをすることを防止することができるのみならず、商品の移動をスムーズに行うことができ、表示具に取り付けた定価表等が衝撃等によって脱落してしまうことを防止でき、更に、商品陳列用吊り下げ具を商品陳列具に同化させて違和感を無くすことも可能である。
【００４７】
なお、前述の説明では、本実施例の商品陳列用吊り下げ具をネット形の係止バーを有する商品陳列具に係止する場合を説明したが、本考案の商品陳列用吊り下げ具は、必ずしもネット形の係止バーを有する商品陳列具にのみ用いられるものでは無く、本考案の商品陳列用吊り下げ具を係止可能な部分を備えた商品陳列具の全般に使用可能である。従って、例えばその他、角バー状の係止バーを備えた商品陳列具に係止して使用しても良く、この場合は、前記係合部３は、角バー状の係止バーに係止可能なように、例えば門状にすると良い。
【産業上の利用可能性】
【００４８】
本考案は、商品購入者等が当たってけがをしてしまうことを防止できるとともに、フック部上における商品の移動が容易で、表示具に取り付けた定価表等の脱落を防止することができ、更に、商品陳列用吊り下げ具を商品陳列具に同化させることも可能であるために、商品陳列用の吊り下げ具の全般に適用可能である。
【符号の説明】
【００４９】
１    商品陳列用吊り下げ具
２    本体部
３    係合部
４    連設部
５    フック部
６    屈曲部
７    フック部本体
８    リブ
９    支持アーム
１０    表示具
１１    突起部
１２    定価表
１３    カバー
１４    収納空間
１５    係止部
１６    載置部
【図１】
0003191113.tif 000003
【図２】
0003191113.tif 000004
【図３】
0003191113.tif 000005
【図４】
0003191113.tif 000006
【図５】
0003191113.tif 000007
【図６】
0003191113.tif 000008
【図７】
0003191113.tif 000009